(57)【特許請求の範囲】
【請求項１】
遊技盤の前面に装着された遊技部品間の落下通路に、遊技球の通過を検出する検出スイッチを有する通過ゲートを備え、
該通過ゲートの下側近傍に、該通過ゲートを通過した遊技球と、該通過ゲート以外を経て落下した遊技球との干渉を防止する干渉防止手段を配置した弾球遊技機において、
前記通過ゲートは前記干渉防止手段を備え、
前記遊技部品は前記通過ゲートとの間を通過した遊技球を前記通過ゲートの下方側で左右方向の一方へと案内する案内部を有し、
前記干渉防止手段は前記通過ゲートを通過した遊技球を前記案内部の上側で該案内部と同じ左右方向の一方へと案内する干渉防止板を有する
ことを特徴とする弾球遊技機。
【発明の詳細な説明】
【技術分野】
【０００１】
本発明は、パチンコ機、アレンジボール機等の弾球遊技機に関するものである。
【背景技術】
【０００２】
例えばパチンコ機には、遊技盤の前面のガイドレールと飾り部材との間に略円形状の遊技領域を形成し、この遊技領域の略中央に、液晶式等の画像表示手段を有する中央役物を配置している。そして、遊技領域の左右両側に中央役物を挟んで左打ち通路と右打ち通路とを設け、通常は左打ち通路に遊技球を集中させる左打ちを行い、或る遊技状態になれば右打ち通路に遊技球を集中させる右打ちを行い、その右打ち通路中の始動手段に遊技球を通過させることによって、可変入賞手段が開放する特別利益状態（大当たり）が発生し易くなるようにしたものがある（特許文献１）。
【０００３】
右打ち通路内には始動手段を設けるだけでなく、遊技盤の前面に多数の遊技釘を設けて、右打ち通路内に入った遊技球が複雑に変化しながら落下するようにしている。しかし、遊技球が複雑な動きをする場合、始動手段を通過した遊技球と、始動手段以外を経て落下した遊技球とが始動手段の下側近傍で衝突すれば、始動手段を通過した遊技球がそのときの衝撃によって始動手段側へと飛び上がり、始動手段の検出スイッチで再度検出されるよな誤動作を招くおそれがある。
【０００４】
そこで、従来は始動手段の下側に複数の遊技釘を配列して、この複数の遊技釘によって、始動手段を通過した遊技球と、他の箇所を通過した遊技球とが始動手段の下側近傍で干渉しないようにしている。
【先行技術文献】
【特許文献】
【０００５】
【特許文献１】特開２０１０−１４２３３１号公報
【発明の概要】
【発明が解決しようとする課題】
【０００６】
しかし、従来のパチンコ機は始動手段の下側に複数の遊技釘を配置して遊技球の相互の干渉を防止する構造であるため、遊技盤の組立て時の作業が非常に煩雑であり、またバラツキが生じ易い欠点がある。
【０００７】
何故なら近年のパチンコ機では、画像表示手段が非常に大型化する傾向にあり、この画像表示手段の大型化に伴って右打ち通路が益々狭隘になる傾向にある。そのため遊技盤の組み立てに際しては、その狭隘な右打ち通路に対応して遊技盤に予め遊技釘を打ち付け、その後に遊技釘を避けながら中央役物及び始動手段を遊技盤の所定位置に組み付ける必要があり、作業が非常に煩雑で作業能率が低下する欠点がある。また始動手段と複数の遊技釘とが別体であるため、各遊技盤毎に中央役物、始動手段及び遊技釘の位置関係にバラツキが生じ易く画一化できない欠点がある。
【０００８】
本発明は、このような従来の問題点に鑑み、遊技盤の組み立て時の作業が容易で作業能率が向上すると共に、遊技盤毎のバラツキが少なく組み立て時の作業を画一化できる弾球遊技機を提供することを目的とする。
【課題を解決するための手段】
【０００９】
本発明は、遊技盤の前面に装着された遊技部品間の落下通路に、遊技球の通過を検出する検出スイッチを有する通過ゲートを備え、該通過ゲートの下側近傍に、該通過ゲートを通過した遊技球と、該通過ゲート以外を経て落下した遊技球との干渉を防止する干渉防止手段を配置した弾球遊技機において、前記通過ゲートは前記干渉防止手段を備え、前記遊技部品は前記通過ゲートとの間を通過した遊技球を前記通過ゲートの下方側で左右方向の一方へと案内する案内部を有し、前記干渉防止手段は前記通過ゲートを通過した遊技球を前記案内部の上側で該案内部と同じ左右方向の一方へと案内する干渉防止板を有するものである。
【発明の効果】
【００１５】
本発明によれば、遊技盤の組み立て時の作業が容易で作業能率が向上すると共に、遊技盤毎のバラツキが少なく組み立て時の作業を画一化できる利点がある。
【図面の簡単な説明】
【００１６】
【図１】本発明の第１の実施形態を示すパチンコ機の正面図である。
【図２】同要部の正面断面図である。
【図３】同要部の側面断面図である。
【図４】同要部の斜視図である。
【図５】本発明の第２の実施形態を示す要部の正面断面図である。
【図６】同要部の側面断面図である。
【図７】本発明の第３の実施形態を示す要部の正面図である。
【図８】本発明の第４の実施形態を示す要部の正面図である。
【図９】同要部の側面断面図である。
【図１０】本発明の第５の実施形態を示す要部の正面図である。
【図１１】同要部の側面断面図である。
【図１２】本発明の第６の実施形態を示すパチンコ機の正面図である。
【図１３】同要部の正面断面図である。
【発明を実施するための形態】
【００１７】
以下、本発明の第１の実施形態を図面に基づいて詳述する。図１〜図４は本発明をパチンコ機に採用した第１の実施形態を例示する。パチンコ機は、図１に示すように、矩形状の外枠１と、この外枠１の前側にヒンジ２により縦軸廻りに開閉自在に枢着された前枠３とを備えている。前枠３の前側にはガラス扉４と前面板５とが上下に配置され、前枠３に対してヒンジ２と同じ側のヒンジ６により縦軸廻りに開閉自在に枢支されている。
【００１８】
前面板５の前側には発射用の遊技球を貯留する球供給皿７が配置され、その側方に遊技球を発射する発射手段（図示省略）の発射ハンドル８が設けられている。ガラス扉４の裏側には、このガラス扉４に対応するように前枠３に遊技盤１０が着脱自在に装着されている。
【００１９】
遊技盤１０の前面には、発射手段から発射された遊技球を誘導するガイドレール１１と、略円弧状の飾り部材１２とが周方向に装着され、そのガイドレール１１と飾り部材１２の内周壁１３との内側が略円形状の遊技領域１４となっている。ガイドレール１１は内レール１１ａと外レール１１ｂとを有し、その内レール１１ａと外レール１１ｂの一部と飾り部材（遊技部品）１２の内周壁１３とにより遊技領域１４が画成されている。
【００２０】
遊技領域１４には中央役物（遊技部品）１５、普通図柄始動手段１６、第１特別図柄始動手段１７、第２特別図柄始動手段１８、大当たり用の開閉入賞手段１９、普通入賞手段２０，２１、普通図柄表示手段２２、第１特別図柄表示手段２３、第２特別図柄表示手段２４、装飾体等の各種の遊技部品が配置されている。
【００２１】
中央役物１５は画像表示手段２５を備え、遊技領域１４の左右方向の略中央に配置されており、この中央役物１５の左側が左打ち通路２６、右側が右打ち通路２７となっている。従って、遊技領域１４の上部に打ち込まれた遊技球は、左打ち通路２６と右打ち通路２７との何れかの落下通路を経て順次落下する。
【００２２】
中央役物１５は遊技盤１０から前側に突出する前飾り枠２８を有し、遊技盤１０の前面に当接する取り付けベース３２を介して遊技盤１０に装着されている。取り付けベース３２は中央役物１５、普通図柄始動手段１６及び開閉入賞手段１９に共通であって、右打ち通路２７側へと飾り部材１２の内周壁１３の近傍まで伸びており、この取り付けベース３２に普通図柄始動手段１６、開閉入賞手段１９が設けられている。画像表示手段２５は液晶式等であって、前飾り枠２８の表示窓に対応して設けられている。
【００２３】
中央役物１５の下側の左右略中央には、この中央役物１５と最下部のアウト球口２９との間に第１特別図柄始動手段１７と第２特別図柄始動手段１８とが上下方向に配置されている。そして、中央役物１５の左下側には左打ち通路２６を置いて複数個の普通入賞手段２０が配置され、また右側には右打ち通路２７中に普通図柄始動手段１６が配置され、更に中央役物１５の右下側には開閉入賞手段１９、普通入賞手段２１が配置されている。
【００２４】
前飾り枠２８は左打ち通路２６側に開口する球誘導口２８ａと、この球誘導口２８ａを経て誘導された遊技球を第１特別図柄始動手段１７の上方近傍で遊技盤１０の前側へと落下させる球落下部２８ｂとを有し、また前面側の適当箇所に普通図柄表示手段２２と第１特別図柄表示手段２３、第２特別図柄表示手段２４とが装着されている。
【００２５】
普通図柄表示手段２２は普通図柄を変動表示するためのもので、複数種類の普通図柄（例えば２種類の「○」「×」）に対応する複数個の発光素子により構成されており、普通図柄始動手段１６が遊技球を検出することを条件に２個の発光素子が交互に点灯するように所定時間点滅して、普通図柄始動手段１６の遊技球の検出時に抽選した乱数値が予め定められた当たり判定値と一致した場合に当たり態様の「○」側の発光素子が点灯し、それ以外の場合に外れ態様の「×」側の発光素子が点灯して停止する。なお、変動後の普通図柄は１／１０程度の所定の確率で当たり態様となる。
【００２６】
第１特別図柄表示手段２３、第２特別図柄表示手段２４は発光部位の変化等で第１特別図柄、第２特別図柄を変動表示可能なセグメント式等の表示手段により構成されており、第１特別図柄表示手段２３は第１特別図柄始動手段１７が、第２特別図柄表示手段２４は第２特別図柄始動手段１８が夫々遊技球を検出することを条件に、第１特別図柄、第２特別図柄が所定時間変動して、第１特別図柄始動手段１７、第２特別図柄始動手段１８の遊技球の検出時に抽選された乱数値が予め定められた大当たり判定値と一致した場合に所定の大当たり態様で、それ以外の場合に外れ態様で停止するようになっている。
【００２７】
なお、変動後の第１特別図柄、第２特別図柄は、通常確率状態中は１／３５０等の通常確率で大当たり態様となり、大当たり状態終了後の高確率状態中は１／３５等の高確率で大当たり態様となる。大当たり状態中の場合には第１特別図柄、第２特別図柄は何れも変動しないし、一方が変動中の場合には他方は変動しない。また各特別図柄の始動検出は所定の上限数（例えば４）まで保留可能であり、両方に１以上の保留がある場合には、第２特別図柄表示手段２４の図柄変動が優先する。更に高確率状態中は第１特別図柄、第２特別図柄の変動時間も短縮される。
【００２８】
画像表示手段２５は第１特別図柄表示手段２３、第２特別図柄表示手段２４に対応する演出図柄表示手段３０を構成するもので、第１特別図柄、第２特別図柄の変動時にその図柄変動に同期して変動する１個又は複数個、例えば３個の演出図柄３０ａ〜３０ｃを変動表示する。演出図柄３０ａ〜３０ｃは第１特別図柄始動手段１７、第２特別図柄始動手段１８の遊技球の検出を条件に、抽選により決定された所定の演出図柄変動パターンを経て所定時間変動した後、第１特別図柄、第２特別図柄の変動終了に同期して所定の順序で順次停止する。なお、演出図柄表示手段３０は第１特別図柄表示手段２３、第２特別図柄表示手段２４に対応して別々に設けてもよい。
【００２９】
演出図柄３０ａ〜３０ｃの変動後の停止図柄は、第１特別図柄、第２特別図柄が大当たり態様で停止する場合には全てが揃う大当たり演出態様となり、第１特別図柄、第２特別図柄が外れ態様で停止する場合には少なくとも一部が異なる外れ演出態様となる。
【００３０】
例えば、演出図柄３０ａ〜３０ｃには０〜９までの数字図柄が使用されており、特別図柄が大当たり態様で停止する場合には演出図柄３０ａ〜３０ｃは「７・７・７」等の大当たり演出態様で停止し、特別図柄が外れ態様で停止する場合には演出図柄３０ａ〜３０ｃは「２・４・５」等の外れ演出態様で停止する。
【００３１】
第１特別図柄始動手段１７は非開閉式であって、画像表示手段２５の下側に配置されており、この第１特別図柄始動手段１７は右打ち通路２７に比較して左打ち通路２６を経て落下する遊技球が入賞し易くなっている。
【００３２】
第２特別図柄始動手段１８は開閉式であって、左右一対の開閉部材１８ａを備えた電動チューリップ式入賞手段等により構成され、普通図柄表示手段２２の変動後の普通図柄が当たり態様で停止した場合に所定の開放パターンで開放するようになっている。
【００３３】
第２特別図柄始動手段１８の開放パターンには、開放時間の短い通常パターン（例えば０．２秒×１回）と開放時間の長い特別パターン（例えば２秒×３回）とがあり、通常確率状態中は通常パターンが、高確率状態中は特別パターンが夫々選択される。
【００３４】
開閉入賞手段１９は右打ち通路２７の下部において取り付けベース３２から前側に突出する前飾り枠３７を有する。前飾り枠３７は右打ち通路２７の下部を上側通路３３と下側通路３４とに区画しており、その上側通路３３に対応して開閉板３５により開閉される大入賞口３６が設けられている。
【００３５】
開閉板３５は前進時に大入賞口３６を閉鎖して上側通路３３の遊技球を特別図柄始動手段１７，１８へと案内し、後退時に大入賞口３６を開放して上側通路３３の遊技球が大入賞口３６に入賞すべく前後方向に出退自在である。なお、大入賞口３６は上側通路３３側が開口している。
【００３６】
開閉入賞手段１９は変動後の第１特別図柄、第２特別図柄が大当たり態様で停止した場合に発生する大当たり状態中に所定の開放パターンで開閉するもので、この開閉入賞手段１９に遊技球が入賞したときには、他の普通入賞手段２０，２１等への入賞よりも多くの賞球が払い出されるようになっている。
【００３７】
なお、開閉入賞手段１９の開閉パターンは、開放後に所定数（例えば１０個）の遊技球が入賞するか、所定時間（例えば３０秒）が経過するかの何れか早い方で閉じる開閉動作を１ラウンドとして、そのラウンド数の違いにより複数の種類があり、大当たりの抽選時にその複数種類の開閉パターンの何れかが抽選される。
【００３８】
普通図柄始動手段１６は遊技球の検出を条件に普通図柄表示手段２２の普通図柄を変動させるためのもので、右打ち通路２７を落下する遊技球が通過可能な通過ゲートにより構成されている。
【００３９】
この普通図柄始動手段１６及びその周辺部分は、図２〜図４に示すように構成されている。即ち、飾り部材１２の内周壁１３は略円弧状に形成されている。一方、中央役物１５の前飾り枠２８には、普通図柄始動手段１６の上下両側に飾り部材１２の内周壁１３の近傍に配置された近傍壁３９，４０が設けられ、その上下の近傍壁３９，４０間に飾り部材１２の内周壁１３から遊技領域１４の内側へと離間する離間壁４１が設けられている。
【００４０】
従って、右打ち通路２７は上下両側の狭通路部４２，４３と、この狭通路部４２，４３間の広通路部４４とを有し、その広通路部４４に普通図柄始動手段１６が多数の遊技釘４５と共に配置されている。広通路部４４には普通図柄始動手段１６と前飾り枠２８の離間壁４１との間に内側通路部４６が、普通図柄始動手段１６と飾り部材１２の内周壁１３との間に外側通路部４７が夫々形成され、上側の狭通路部４２から落下する遊技球が多数の遊技釘４５によって案内されながら、普通図柄始動手段１６、内側通路部４６、外側通路部４７の何れかを経て下側の狭通路部４３へと移動するようになっている。
【００４１】
前飾り枠２８の離間壁４１は、普通図柄始動手段１６の上方位置から普通図柄始動手段１６の内側へと緩やかな円弧状に凹入する上案内部４１ａと、この上案内部４１ａの下端から普通図柄始動手段１６の下側へと湾曲して普通図柄始動手段１６の下側を経て飾り部材１２の内周壁１３に近接する近傍壁４０へと左右方向に伸びる下案内部４１ｂとを有する。このため内側通路部４６の下部側は普通図柄始動手段１６の下側で飾り部材１２の内周壁１３に向かって外側へと湾曲している。
【００４２】
広通路部４４は下部側の左右幅が上部側の左右幅よりも広い略縦長円状又は水滴状になっており、その上下方向の略中央から下側に取り付けベース３２が装着され、この取り付けベース３２よりも上側に多数の遊技釘４５が設けられている。上側の狭通路部４２の下端部４２ａは、前飾り枠２８の近傍壁３９と、これに対向して配置された案内突起４８とにより、広通路部４４の左右方向の略中央に設けられている。
【００４３】
普通図柄始動手段１６は上側の狭通路部４２の下端部４２ａよりも前飾り枠２８側に位置して配置され、また下側の狭通路部４３の近傍壁４０は、普通図柄始動手段１６よりも飾り部材１２の内周壁１３側へと突出している。
【００４４】
普通図柄始動手段１６は図２〜図４に示すように、取り付けベース３２から前側に一体に突出する通過口枠４９と、この通過口枠４９に上下方向に貫通状に形成され且つ遊技球が通過可能な通過口５０と、この通過口５０を通過する遊技球を検出する検出スイッチ５１とを備えている。検出スイッチ５１は、通過口５０に対応する開口が形成された偏平状の本体を備え、その本体が通過口枠４９内の保持溝に挿入され係合爪５２により着脱自在に固定されている。なお、検出スイッチ５１、係合爪５２等は取り付けベース３２から後方に突出しており、遊技盤１０に形成された通孔５３に挿入されている。
【００４５】
普通図柄始動手段１６はその下側に干渉防止手段５４を備え、この干渉防止手段５４により、普通図柄始動手段１６を通過した遊技球と、普通図柄始動手段１６以外を経て落下した遊技球との普通図柄始動手段１６の下側近傍での干渉を防止するようにしている。
【００４６】
干渉防止手段５４は図２〜図４に示すように、普通図柄始動手段１６の通過口５０を通過した遊技球を下案内部４１ｂの上側で下案内部４１ｂと同じ左右方向の一方へと案内する干渉防止板５５を有し、この干渉防止板５５と案内部４１ａ，４１ｂとの間に内側通路部４６が設けられている。
【００４７】
この干渉防止板５５は通過口５０よりも中央役物１５側で通過口枠４９から下側へと一体に伸びる縦板部５５ａと、この縦板部５５ａの下端から飾り部材１２の内周壁１３へと左右方向の外向きに円弧状に屈曲する横板部５５ｂとを有する正面視Ｌ字状に構成され、通過口枠４９及び取り付けベース３２に跨がって一体に形成されている。
【００４８】
横板部５５ｂの先端は、普通図柄始動手段１６の通過口５０の飾り部材１２側の端部よりも飾り部材１２側にあり、通過口５０よりも飾り部材１２側で遊技球を下側の狭通路部４３へと落下させるようになっており、外側通路部４７を経て落下した遊技球と衝突した場合にも、遊技球が通過口５０側へと戻らないようにしている。
【００４９】
ゲームに際しては、発射手段を操作して遊技領域１４へと遊技球を発射させる。このとき通常確率状態であれば、遊技者は第１特別図柄始動手段１７に入賞し易い左打ち通路２６に遊技球が集中するように左打ちをする。左打ち通路２６を落下する間に、遊技球が中央役物１５の球誘導口２８ａ、球落下部２８ｂ等を経て第１特別図柄始動手段１７に入賞すると、第１特別図柄表示手段２３の第１特別図柄、演出図柄表示手段３０の演出図柄３０ａ〜３０ｃが同期して所定時間変動する。そして、第１特別図柄始動手段１７に遊技球が入賞したときの抽選結果が大当たりであるか否かに応じて、第１特別図柄表示手段２３の変動後の第１特別図柄が大当たり態様又は外れ態様で停止し、演出図柄表示手段３０の演出図柄３０ａ〜３０ｃが大当たり演出態様又は外れ演出態様で停止する。
【００５０】
通常確率状態中でも右打ち通路２７に進入した遊技球が普通図柄始動手段１６に入賞すれば、普通図柄表示手段２２の普通図柄が変動して変動後に当たり態様で停止することもある。しかし、通常確率状態中は第２特別図柄始動手段１８の開放時間が極僅かであるため、第２特別図柄始動手段１８に遊技球が入賞する可能性は非常に低い。
【００５１】
第１特別図柄表示手段２３の変動後の第１特別図柄が大当たり態様で停止すれば大当たり状態となり、開閉入賞手段１９が抽選された所定の開閉パターンで所定ラウンド数開閉動作を繰り返すので、遊技者は開閉入賞手段１９に遊技球が入賞し易い右打ち通路２７側に遊技球を集中させるべく右打ちをする。
【００５２】
右打ち通路２７に入った遊技球は普通図柄始動手段１６に入賞するか、入賞しないで下方に落下した後、上側通路３３を経て特別図柄始動手段１７，１８側へ、又は下側通路３４を経てアウト球口２９側へと夫々流下する。そして大当たりの場合には、所定の開閉パターンで開閉する大入賞口３６に入賞する。
【００５３】
右打ち通路２７に入った遊技球は飾り部材１２に沿って狭通路部４２を通過し、その下端部から広通路部４４へと落下する。この広通路部４４には普通図柄始動手段１６の上側に多数の遊技釘４５があり、遊技球はこの遊技釘４５に衝突しながら落下し、普通図柄始動手段１６の通過口５０に入るか、普通図柄始動手段１６と中央役物１５との間の内側通路部４６、又は普通図柄始動手段１６と飾り部材１２との間の外側通路部４７に入る。
【００５４】
普通図柄始動手段１６の通過口５０に遊技球が入ると、検出スイッチ５１により遊技球の通過が検出され、普通図柄表示手段２２の普通図柄が所定時間変動して当たり態様又は外れ態様で停止する。そして、当たり態様で停止した場合には、第２特別図柄始動手段１８が所定の開閉パターンで開閉し、第２特別図柄始動手段１８に遊技球が入賞し易くなる。
【００５５】
遊技釘４５に衝突する等によって中央役物１５の上案内部４１ａ側に案内された遊技球は、その上案内部４１ａに沿って内側通路部４６へと入り、上案内部４１ａから下案内部４１ｂにより普通図柄始動手段１６の下側を経て左右方向の外側へと案内された後、下案内部４１ｂの先端から狭通路部４３へと落下する。
【００５６】
しかし、普通図柄始動手段１６の下側には正面視略Ｌ字状に湾曲する干渉防止板５５があり、この干渉防止板５５により普通図柄始動手段１６を通過した遊技球を、内側通路部４６を通過する遊技球と分離して案内するため、それらの遊技球が普通図柄始動手段１６の下側で互いに干渉し合うようなことはない。
【００５７】
即ち、普通図柄始動手段１６を通過した遊技球は干渉防止板５５の上側を経て案内し、内側通路部４６に入った遊技球は干渉防止板５５の下側で下案内部４１ｂに沿って案内されるので、相互の遊技球の衝突等を防止できる。従って、普通図柄始動手段１６の下側近傍での遊技球の衝突により従来発生していた検出スイッチ５１の遊技球の誤検出を未然に防止できる。
【００５８】
遊技球は外側通路部４７を経て落下する場合もあるが、干渉防止板５５の先端が普通図柄始動手段１６の通過口５０よりも飾り部材１２側に伸びているため、普通図柄始動手段１６を通過した遊技球が外側通路部４７を落下する遊技球と衝突しても、その遊技球を検出スイッチ５１が誤検出するようなことはない。
【００５９】
また取り付けベース３２は中央役物１５と普通図柄始動手段１６と開閉入賞手段１９とに共通とし、この取り付けベース３２に干渉防止手段５４を設けているため、中央役物１５と普通図柄始動手段１６との相対位置、普通図柄始動手段１６と干渉防止手段５４との相対位置を画一的に決定することができ、遊技盤１０の組み立て作業を容易にできると共に、位置的なバラツキを極力防止できる。
【００６０】
中央役物１５は普通図柄始動手段１６との間の内側通路部４６を通過した遊技球を普通図柄始動手段１６の下方側で左右方向の一方である内周壁１３側へと案内する下案内部４１ｂを有し、また干渉防止手段５４は普通図柄始動手段１６を通過した遊技球を下案内部４１ｂの上側でその下案内部４１ｂと同じ左右方向の一方へと案内する干渉防止板５５を有するため、単に夫々を通過した遊技球の干渉を防止できるだけでなく、遊技球を遊技領域１４の外側へと案内でき、普通図柄始動手段１６、下案内部４１ｂ、干渉防止手段５４が遊技領域１４の上下方向の略中央部で右打ち通路２７に配置されていることと相俟って、アウト球口２９までの距離を十分に確保することができる。
【００６１】
また普通図柄始動手段１６は取り付けベース３２と、この取り付けベース３２から前面に突出し且つ遊技球が通過する通過口５０が形成された通過口枠４９とを備え、その取り付けベース３２と通過口枠４９とに跨がって干渉防止手段５４、取り分け干渉防止板５５を設けることによって、通過口枠４９と干渉防止板５５が相互に補強し合う構造となり、干渉防止板５５の損傷を容易に防止できる。しかも通過口枠４９と干渉防止板５５とを取り付けベース３２に一体に設けることにより、両者を簡単な構造で最適な位置関係に容易に配置できる。
【００６２】
図５及び図６は本発明の第２の実施形態を例示する。この実施形態では、中央役物１５と普通図柄始動手段１６とに共通の取り付けベース３２に、普通図柄始動手段１６の通過口枠４９と干渉防止手段５４の干渉防止板５５とが上下に所定の間隔Ａをおいて設けられている。干渉防止板５５は通過口枠４９の内側通路部４６近傍の下方位置から通過口枠４９の外側通路部４７近傍の下方位置へと円弧状に設けられている。通過口枠４９と干渉防止板５５の上端との間の間隔Ａは、遊技球の直径未満、遊技球の略直径程度、又は遊技球の直径よりも若干大きい程度である。他の構成は第１の実施形態と同様である。
【００６３】
通過口枠４９と干渉防止板５５の上端との間に間隔Ａがあっても、その間隔Ａ部分の両側では遊技球が下方へと落下するので、互いに干渉するようなことはない。従って、普通図柄始動手段１６に干渉防止手段５４を設けるに当たっては、この実施形態のように通過口枠４９と干渉防止板５５との間に所定の間隔Ａを置いて取り付けベース３２に一体に設けてもよい。
【００６４】
図７は本発明の第３の実施形態を例示する。この実施形態では、中央役物１５の傾斜案内部５７に対応して普通図柄始動手段１６の通過口枠４９の下側に干渉防止板５５が設けられている。この傾斜案内部５７は普通図柄始動手段１６側に傾斜しており、通常は上方からａ矢示方向に落下する遊技球が衝突した後、ｂ矢示方向に落下するようになっている。
【００６５】
このような傾斜案内部５７でも、遊技球が強い衝撃力でｃ矢示方向に衝突した場合には、その遊技球が普通図柄始動手段１６の下側へとｄ矢示方向に飛行することがあり、その遊技球が普通図柄始動手段１６の通過口５０を通過した直後の遊技球と衝突すれば、検出スイッチ５１が誤検出する等の問題が生じる。従って、傾斜案内部５７からの遊技球が普通図柄始動手段１６の通過口５０の下側近傍に飛行しないように、通過口枠４９の内側通路部４６側の近傍に下方に突出する干渉防止手段５４を設ける等、何等かの障害突起を設けておけばよい。
【００６６】
図８及び図９は本発明の第４の実施形態を例示する。この実施形態では、普通図柄始動手段１６に干渉防止手段５４が着脱自在に設けられている。干渉防止手段５４は第１の実施形態と同様に干渉防止板５５を有し、この干渉防止板５５の基部には台形状の取り付け部５８が設けられている。
【００６７】
普通図柄始動手段１６には通過口枠４９の下側近傍の取り付けベース３２に、干渉防止板５５が裏側から挿通する通孔５９と、取り付け部５８が裏側から嵌合する取り付け凹部６０とが設けられ、その取り付け凹部６０に嵌合する取り付け部５８が、遊技盤１０とこの遊技盤１０に前面から当接する取り付けベース３２との間で挟持されている。干渉防止板５５の上端は通過口枠４９の凹溝部６１に裏側から前後方向に摺動自在に嵌合され保持されている。
【００６８】
このように干渉防止手段５４は普通図柄始動手段１６に着脱自在に設けてもよい。従って、干渉防止手段５４は必ずしも普通図柄始動手段１６に一体に設ける必要はなく、何等かの部材を介して干渉防止手段５４が普通図柄始動手段１６に結合されていればよい。なお、他の構成は第１の実施形態と同様である。
【００６９】
図１０及び図１１は本発明の第５の実施形態を例示する。この実施形態では、普通図柄始動手段１６は中央役物１５の取り付けベース３２ａとは別に取り付けベース３２ｂを有し、その取り付けベース３２ｂがネジ等の固定手段６２により遊技盤１０の前面に着脱自在に固定されている。そして、普通図柄始動手段１６の取り付けベース３２ｂに干渉防止手段５４が一体に設けられている。他の構成は第１の実施形態と同様である。
【００７０】
このように干渉防止手段５４を普通図柄始動手段１６に備えるに当たっては、普通図柄始動手段１６を中央役物１５から完全に分離して、その普通図柄始動手段１６に干渉防止手段５４を一体又は着脱自在に設けてもよい。
【００７１】
図１２及び図１３は本発明の第６の実施形態を例示する。この実施形態では、右打ち通路２７の下部側に飾り部材１２に沿って配置される開閉入賞手段１９の取り付けベース６４の上端部に、右打ち通路２７の広通路部４４の下側に対応する傾斜案内部６５と、その上側に位置する普通図柄始動手段１６とが設けられている。傾斜案内部６５は右打ち通路２７の広通路部４４の外側通路部４７を経て落下した遊技球を遊技領域１４の内側へと案内するようになっている。
【００７２】
普通図柄始動手段１６と傾斜案内部６５は上下に接近し、傾斜案内部６５は普通図柄始動手段１６の通過口５０の下側へと伸びている。そして、普通図柄始動手段１６の通過口枠４９の外側通路部４７の近傍には、干渉防止手段５４を構成する干渉防止板５５が設けられている。干渉防止板５５は通過口枠４９と取り付け部５８とに跨がって一体に設けられている。
【００７３】
このように傾斜案内部６５によって遊技球を遊技領域１４の内側へと案内する場合にも、その案内方向の上側近傍に普通図柄始動手段１６がある場合、傾斜案内部６５で案内された遊技球と、普通図柄始動手段１６の通過口５０を通過した遊技球とが普通図柄始動手段１６の下側で干渉し合うことがあるが、干渉防止手段５４を設けることにより遊技球同士の干渉を防止できる。
【００７４】
以上、本発明の各実施形態について詳述したが、本発明はこの各実施形態に限定されるものではなく、本発明の趣旨を逸脱しない範囲で種々の変更が可能である。例えば、各実施形態では、通過ゲートとして普通図柄始動手段１６を例示しているが、普通図柄始動手段１６以外のものでもよい。
【００７５】
また通過ゲートに干渉防止手段５４を組み合わせる際の形状、構造は各実施形態に例示のもの以外でもよい。干渉防止手段５４は通過ゲート以外を経た遊技球の通過ゲートの下側近傍への移動を阻止し得る構造であれば十分である。その場合には通過ゲートを通過した遊技球をそのまま下方に落下させる構造でもよい。
【００７６】
実施形態では、中央役物１５と飾り部材１２との間の右打ち通路２７を形成し、その右打ち通路２７の途中に配置される普通図柄始動手段１６（通過ゲート）を例示しているが、右打ちタイプである必要はなく、落下通路中に配置される普通図柄始動手段１６（通過ゲート）であれば同様に実施可能である。また普通図柄始動手段１６（通過ゲート）の両側の遊技部品は中央役物１５、飾り部材１２以外のものでもよい。開閉入賞手段１９は中央役物１５とアウト球口２９との間に設けてもよい。更に本発明はパチンコ機の他、アレンジボール機、その他の各種の弾球遊技機においても同様に実施可能であることは云うまでもない。
【符号の説明】
【００７７】
１０  遊技盤
１４  遊技領域
１５  中央役物
１６  普通図柄始動手段（通過ゲート）
２７  右打ち通路
３２，３２ａ，３２ｂ、６４  取り付けベース
３７  前飾り枠
４１ｂ  下案内部
４２，４３  狭通路部
４４  広通路部
４９  通過口枠
５０  通過口
５４  干渉防止手段
５５  干渉防止壁
５７  傾斜案内部
【図１】
0005646937.tif 000002
【図２】
0005646937.tif 000003
【図３】
0005646937.tif 000004
【図４】
0005646937.tif 000005
【図５】
0005646937.tif 000006
【図６】
0005646937.tif 000007
【図７】
0005646937.tif 000008
【図８】
0005646937.tif 000009
【図９】
0005646937.tif 000010
【図１０】
0005646937.tif 000011
【図１１】
0005646937.tif 000012
【図１２】
0005646937.tif 000013
【図１３】
0005646937.tif 000014